(57)【要約】【課題】被洗浄物の局部的な汚れに対し力を加えて擦り付けようとしても、滑り難く、使い勝手を非常に良好なものにすることができる石鹸ケースを提供することにある。【解決手段】洗濯用の固形石鹸Ｓを収容する石鹸ケース１は、周囲壁２５の長手方向の一端が開口しかつ他端に底部２２を有する有底筒状のケース本体２を備える。底部２２に、固形石鹸Ｓを長手方向一端側の開口部２１より露出させるように差し入れられた指により押し出し可能とする孔部２３を設ける。そして、ケース本体２を、周囲壁２５の外方から固形石鹸Ｓを把持可能とするように可撓性のあるシリコン樹脂により成形している。【選択図】図９
2020029291.tif 000002
【特許請求の範囲】
【請求項１】
洗濯用の固形石鹸を収容する石鹸ケースであって、
前記固形石鹸の周囲を覆う周囲壁の長手方向の一端が開口しかつ他端に底部を有する有底筒状のケース本体を備えているとともに、
前記底部には、前記固形石鹸を長手方向一端側の開口部より露出させるように差し入れられた指により押し出し可能とする孔部が設けられており、
前記ケース本体は、前記周囲壁の外方から前記固形石鹸を把持可能とするように可撓性のある樹脂材料により成形されていることを特徴とする石鹸ケース。
【請求項２】
前記周囲壁は互いに対向する対向面を備え、この各対向面の内側には、前記孔部から押し出された固形石鹸を長手方向等間隔置きに保持する一対の保持片が複数組突設されている請求項１に記載の石鹸ケース。
【請求項３】
前記ケース本体の底部は、当該ケース本体を自立可能とするように前記周囲壁よりも外方へ拡張された拡張部を備えている請求項１又は請求項２に記載の石鹸ケース。
【発明の詳細な説明】
【技術分野】
【０００１】
本発明は、洗濯などに用いられる洗濯用の固形石鹸を収容する石鹸ケースに関する。
【背景技術】
【０００２】
一般的に、洗濯用の固形石鹸は、被洗浄物を部分洗いする際に用いられ、直に手で把持して部分洗い箇所にそのまま擦り付けて使用される。
【０００３】
また、洗濯機に部分洗い装置を設け、この部分洗い装置に洗濯用の固形石鹸を収容する石鹸ケースを設けたものもある（特許文献１参照）。この石鹸ケースは、長手方向一端が開口する有底筒形状に形成され、石鹸ケースの底部と固形石鹸との間に縮装されたバネにより開口を介して固形石鹸の一部を露出させるようになっていて、スリットを通して送られる被洗浄物に露出部分（一部）を摺接させて固形石鹸を擦り付けるようにしている。
【先行技術文献】
【特許文献】
【０００４】
【特許文献１】特開２０００−３１７１８８号
【発明の概要】
【発明が解決しようとする課題】
【０００５】
ところが、前記従来の部分洗い装置では、スリットを通して送られる被洗浄物に対し固形石鹸が擦り付けられてはいるものの、襟や袖口といった被洗浄物の局部的な汚れに対しピンポイントで使用するには無理があった。そのため、被洗浄物の局部的な汚れに対しては手で把持した固形石鹸をそのまま擦り付けて使用するのが好適である。
【０００６】
しかしながら、固形石鹸を直に手で把持していると、被洗浄物の局部的な汚れに対し力を加えて擦り付けようとした際に滑り易いものとなり、使い勝手が非常に悪いものとなってしまう。
【０００７】
本発明は、かかる点に鑑みてなされたものであり、その目的とするところは、被洗浄物の局部的な汚れに対し力を加えて擦り付けようとしても、滑り難く、使い勝手を非常に良好なものにすることができる石鹸ケースを提供することにある。
【課題を解決するための手段】
【０００８】
前記目的を達成するため、本発明では、洗濯用の固形石鹸を収容する石鹸ケースを前提とする。更に、前記固形石鹸の周囲を覆う周囲壁の長手方向の一端が開口しかつ他端に底部を有する有底筒状のケース本体を備えるとともに、前記底部に、前記固形石鹸を長手方向一端側の開口部より露出させるように差し入れられた指により押し出し可能とする孔部を設ける。そして、前記ケース本体を、前記周囲壁の外方から前記固形石鹸を把持可能とするように可撓性のある樹脂材料により成形することを特徴としている。
【０００９】
また、前記周囲壁に互いに対向する対向面を設け、この各対向面の内側に、前記孔部から押し出された固形石鹸を長手方向等間隔置きに保持する一対の保持片を複数組突設していてもよい。
【００１０】
更に、前記ケース本体の底部に、当該ケース本体を自立可能とするように前記周囲壁よりも外方へ拡張された拡張部を備えていてもよい。
【発明の効果】
【００１１】
以上、要するに、有底筒状のケース本体を可撓性のある樹脂材料によって成形することで、ケース本体の底部の孔部から差し入れられた指により押し出されて開口部から露出する固形石鹸の露出部分を、被洗浄物の局部的な汚れに対し力を加えて擦り付けようとした際に、固形石鹸を周囲壁が包み込んで滑り難く把持でき、固形石鹸の使い勝手を非常に良好なものにすることができる。
【００１２】
また、孔部から押し出した固形石鹸を周囲壁の対向面に突設された長手方向等間隔置きの一対の保持片によって保持することで、固形石鹸が擦り付けによる消費に伴い短くなって露出部分が遷移しても、その都度ケース本体内の固形石鹸を円滑に保持しつつその保持している保持片よりも開口部側の各保持片によって固形石鹸を滑り難く確実に把持でき、消費に伴い短くなった固形石鹸の使い勝手を非常に良好なものにすることができる。
【００１３】
更に、周囲壁よりも外方へ拡張した底部の拡張部によってケース本体を自立可能とすることで、不使用時にスペースを取ることなく固形石鹸を省スペースで格納することができる。
【図面の簡単な説明】
【００１４】
【図１】本発明の第１の実施の形態に係る石鹸ケースの斜視図である。
【図２】図１の石鹸ケースの正面図である。
【図３】図１の石鹸ケースの側面図である。
【図４】図１の石鹸ケースの平面図である。
【図５】図１の石鹸ケースの底面図である。
【図６】図４のＡ−Ａ線における石鹸ケースの縦断正面図である。
【図７】図４のＢ−Ｂ線における石鹸ケースの縦断側面図である。
【図８】図１の石鹸ケースに固形石鹸を収容した状態を示す斜視図である。
【図９】図８の石鹸ケース及び固形石鹸の縦断側面図である。
【図１０】図８の石鹸ケース及び固形石鹸の縦断正面図である。
【図１１】図８の固形石鹸を石鹸ケースの上下方向中間位置まで押し出した状態での縦断側面図である。
【図１２】図８の固形石鹸を石鹸ケースの上端位置まで押し出した状態での斜視図である。
【図１３】図１２の石鹸ケース及び固形石鹸の縦断側面図である。
【図１４】本発明の第２の実施の形態に係る石鹸ケースの斜視図である。
【図１５】図１４の石鹸ケースの正面図である。
【図１６】図１４の石鹸ケースの側面図である。
【図１７】図１４の石鹸ケースの平面図である。
【図１８】図１４の石鹸ケースの底面図である。
【図１９】図１７のＣ−Ｃ線における石鹸ケースの縦断側面図である。
【図２０】図１７のＤ−Ｄ線における石鹸ケースの縦断正面図である。
【図２１】図１４の石鹸ケースに固形石鹸を収容した状態を示す斜視図である。
【図２２】図２１の石鹸ケース及び固形石鹸の縦断側面図である。
【図２３】図２１の石鹸ケース及び固形石鹸の縦断正面図である。
【図２４】図８の固形石鹸を石鹸ケースより若干露出させた状態での縦断側面図である。
【図２５】図８の固形石鹸を石鹸ケースの中途部付近まで押し出した状態での縦断側面図である。
【発明を実施するための形態】
【００１５】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００１６】
図１は本発明の第１の実施の形態に係る石鹸ケースの斜視図、図２は図１の石鹸ケースの正面図、図３は図１の石鹸ケースの側面図をそれぞれ示している。また、図４は図１の石鹸ケースの平面図、図５は図１の石鹸ケースの底面図をそれぞれ示している。
【００１７】
図１〜図５に示すように、石鹸ケース１は、洗濯用の固形石鹸Ｓ（後述する）を収容するケース本体２を備えている。このケース本体２は、固形石鹸Ｓの周囲を覆う周囲壁２５の長手方向一端側（図１〜図３では上端側）に開口する開口部２１を有する一方、周囲壁２５の長手方向他端側（図１〜図３では下端側）に底部２２を有し、有底略矩形筒状に形成されている。底部２２には、固形石鹸Ｓを開口部２１より露出させるように差し入れられた指により押し出し可能とする孔部２３が設けられている。この孔部２３は、底部２２の中央に設けられている。この場合、開口部２１は、横方向（図４では左右方向）の長さが５６ｍｍに、縦方向（図４では上下方向）の長さが２６．６ｍｍにそれぞれ設定されている。一方、孔部２３は、略矩形状に開口し、横方向の長さが３５ｍｍに、縦方向の長さが１５ｍｍにそれぞれ設定されている。
【００１８】
ケース本体２は、その長手方向（図１〜図３では上下方向）となる高さ方向の長さが約９１ｍｍに、周囲壁２５の外側の横方向の長さが６０．４ｍｍに、周囲壁２５の外側の縦方向の長さが３１ｍｍにそれぞれ設定されている。ケース本体２の長手方向一端側の開口縁部２４は、長手方向５ｍｍの長さで全周に亘って厚肉に形成され、横方向の長さが６３ｍｍに、縦方向の長さが３３．６ｍｍにそれぞれ設定されている。
【００１９】
図６は図２のＡ−Ａ線における石鹸ケース１の縦断正面図、図７は図４のＢ−Ｂ線における石鹸ケース１の縦断側面図をそれぞれ示している。図６及び図７に示すように、ケース本体２は、開口縁部２４を除く周囲壁２５及び底部２２の肉厚がそれぞれ２．２ｍｍに設定され、その内周面側の高さ方向の長さが約８５ｍｍに、横方向の長さが５６ｍｍに、縦方向の長さが２６．６ｍｍにそれぞれ設定されている。
【００２０】
また、ケース本体２の底部２２は、ケース本体２を自立可能とするように周囲壁２５よりも外方へ拡張された拡張部２６を備えている。この拡張部２６は、周囲壁２５の下端より斜め下方向きに外方へ向かって拡張され、横方向の長さが約６８ｍｍに、縦方向の長さが約３８．５ｍｍにそれぞれ設定されている。この場合、拡張部２６の肉厚が約２．８ｍｍに設定されている。
【００２１】
図８は図１の石鹸ケース１に固形石鹸Ｓを収容した状態を示す斜視図、図９は図８の石鹸ケース１及び固形石鹸Ｓの縦断正面図、図１０は図８の石鹸ケース１及び固形石鹸Ｓの縦断側面図をそれぞれ示している。
【００２２】
図８〜図１０に示すように、固形石鹸Ｓは、ケース本体２の開口部２１より押し出し可能な断面略矩形状に形成されている。また、固形石鹸Ｓは、ケース本体２の周囲壁２５の正面２５１及び背面２５２にそれぞれ対応する正面及び背面の周囲に厚肉な枠状部Ｓ１を備えている。固形石鹸Ｓの枠状部Ｓ１を除く正面及び背面は、枠状部Ｓ１，Ｓ１よりもそれぞれ３ｍｍ程度薄肉な平坦部Ｓ２とされている。この場合、固形石鹸Ｓは、ケース本体２の開口部２１よりも若干小さい（開口部２１の縦方向及び横方向へそれぞれ１ｍｍずつ程度小さい）断面略矩形状に形成され、平坦部Ｓ２が各保持片２７（後述する）の先端に接触し難くなっている。つまり、固形石鹸Ｓは、横方向（図１０では左右方向）の長さが５５ｍｍに、縦方向（図９では左右方向）の長さが約２５．６ｍｍに、長手方向（図１０及び図１１では上下方向）の長さが約９５ｍｍにそれぞれ設定されている。
【００２３】
ケース本体２は、当該ケース本体２の外方から固形石鹸Ｓを周囲壁２５の外方から把持可能とするように可撓性のある樹脂材料、具体的にはシリコン樹脂により成形されている。この場合、ケース本体２の周囲壁２５の互いに対向する対向面としての正面２５１及び背面２５２は、これに隣接する左右両側面２５３，２５４よりも表面積が大きいために変形し易くなっている。
【００２４】
ケース本体２の周囲壁２５の互いに対向する正面２５１及び背面２５２の内側には、孔部２３から差し入れた指により開口部２１側へ押し出された固形石鹸Ｓを保持する一対の保持片２７，２７が長手方向等間隔置きに９組突設されている。各保持片２７は、互いに向き合う方向へ断面略Ｖ字状に略３ｍｍ突出している。また、各保持片２７は、それぞれ上面側（一端側の面）が正面２５１及び背面２５２の内周面に対し略直交してほぼ水平となり、下面側（他端側の面）が正面２５１及び背面２５２の内周面に対し略４５°に傾斜している。
【００２５】
各保持片２７は、その左右両端部を左右両側面２５３，２５４からそれぞれ１０ｍｍずつ残して横方向へ３６ｍｍ延びている。また、各保持片２７は、ケース本体２の長手方向の長さが２．８５ｍｍに設定されているとともに、ケース本体２の長手方向で互いに合隣なる長手方向の間隔が６．５ｍｍに設定されている。この各保持片２７のうちの最も底部２２に近い保持片２７は、底部２２に対し６．５ｍｍの間隔を隔てて設けられている。
【００２６】
図１１は図８の固形石鹸Ｓを石鹸ケース１の上下方向中間位置まで押し出した状態での縦断側面図を示している。また、図１２は図８の固形石鹸Ｓを石鹸ケース１の上端位置まで押し出した状態での斜視図、図１３は図１２の石鹸ケース１及び固形石鹸Ｓの縦断側面図をそれぞれ示している。
【００２７】
この場合、図１１及び図１２に示すように、各保持片２７は、開口部２１側へ押し出された固形石鹸Ｓの基端側端（図１１及び図１２では下端）を上面側に載せて保持すること以外に、その上面側に載せた各保持片２７よりも開口部２１側の各保持片２７の先端が正面２５１及び背面２５２の変形に伴って固形石鹸Ｓに対し強く押圧され、石鹸ケース１の上下方向中間位置まで押し出した状態の固形石鹸Ｓをケース本体２内でより強固に把持できるようにしている。このとき、各保持片２７は、固形石鹸Ｓの枠状部Ｓ１に対し非接触となるため、正面２５１及び背面２５２の変形が規制されることがなく、各保持片２７の先端が固形石鹸Ｓの平坦部Ｓ２に対し効率よく押圧される。
【００２８】
また、図１３に示すように、石鹸ケース１の上端位置まで押し出した状態の固形石鹸Ｓにあっては、その固形石鹸Ｓ自体の長手方向の長さが消費に伴い短くなっているため、残り１つの一対の各保持片２７によって固形石鹸Ｓに対し強く押圧され、石鹸ケース１の上端位置まで押し出した状態の固形石鹸Ｓをケース本体２内でより強固に把持できるようにしている。
【００２９】
したがって、本実施の形態では、有底筒状のケース本体２が可撓性のあるシリコン樹脂によって成形されているので、ケース本体２の底部２２の孔部２３から差し入れられた指により押し出されて開口部２１から露出する固形石鹸Ｓの露出部分を、被洗浄物の局部的な汚れに対し力を加えて擦り付けようとした際に、固形石鹸Ｓを周囲壁２５が包み込んで滑り難く把持でき、固形石鹸Ｓの使い勝手を非常に良好なものにすることができる。
【００３０】
また、孔部２３から押し出した固形石鹸Ｓが、ケース本体２の周囲壁２５の互いに対向する正面２５１及び背面２５２の内側にそれぞれ突設された長手方向等間隔置きの一対の保持片２７，２７によって保持されているので、固形石鹸Ｓが擦り付けによる消費に伴い短くなって露出部分が遷移しても、その都度ケース本体２内の固形石鹸Ｓを円滑に保持しつつその保持している保持片２７よりも開口部２１側の各保持片２７によって固形石鹸Ｓを滑り難く確実に把持でき、消費に伴い短くなった固形石鹸Ｓの使い勝手を非常に良好なものにすることができる。
【００３１】
更に、周囲壁２５の下端より斜め下方向きに外方へ向かって拡張した底部２２の拡張部２６によってケース本体２が自立可能となるので、不使用時にスペースを取ることなく固形石鹸Ｓを省スペースで格納することができる。
【００３２】
次に、本発明の第２の実施の形態を図面に基づいて説明する。
図１４は本発明の第２の実施の形態に係る石鹸ケースの斜視図、図１５は図１４の石鹸ケースの正面図、図１６は図１４の石鹸ケースの側面図をそれぞれ示している。また、図１７は図１４の石鹸ケースの平面図、図１８は図１４の石鹸ケースの底面図をそれぞれ示している。
【００３３】
図１４〜図１８に示すように、石鹸ケース３は、洗濯用の固形石鹸Ｋ（後述する）を収容するケース本体４を備えている。このケース本体４は、固形石鹸Ｋの周囲を覆う周囲壁４５の長手方向一端側（図１４〜図１６では上端側）に開口する開口部４１を有する一方、周囲壁４５の長手方向他端側（図１４〜図１６では下端側）に底部４２を有し、有底略矩形筒状に形成されている。底部４２には、固形石鹸Ｋを開口部４１より露出させるように差し入れられた指により押し出し可能とする孔部４３が設けられている。この孔部４３は、底部４２の中央に設けられている。この場合、開口部４１は、横方向（図１７では左右方向）の長さが約３０．７ｍｍに、縦方向（図１７では上下方向）の長さが約２６．６ｍｍにそれぞれ設定されている。一方、孔部４３は、略矩形状に開口し、横方向の長さが２０ｍｍに、縦方向の長さが１５ｍｍにそれぞれ設定されている。
【００３４】
ケース本体４は、その長手方向（図１４〜図１６では上下方向）となる高さ方向の長さが約７５ｍｍに、周囲壁４５の外側の横方向の長さが約３５ｍｍに、周囲壁４５の外側の縦方向の長さが３１ｍｍにそれぞれ設定されている。ケース本体４の長手方向一端側の開口縁部４４は、長手方向５ｍｍの長さで全周に亘って厚肉に形成され、横方向の長さが約３７．７ｍｍに、縦方向の長さが３３．６ｍｍにそれぞれ設定されている。
【００３５】
図１９は図１７のＣ−Ｃ線における石鹸ケース３の縦断側面図、図２０は図１７のＤ−Ｄ線における石鹸ケース３の縦断正面図をそれぞれ示している。図１９及び図２０に示すように、ケース本体４は、開口縁部４４を除く周囲壁４５及び底部４２の肉厚がそれぞれ２．２ｍｍに設定され、その内周面側の高さ方向の長さが約６９ｍｍに、横方向の長さが約３０．７ｍｍに、縦方向の長さが２６．６ｍｍにそれぞれ設定されている。
【００３６】
また、ケース本体４の底部４２は、ケース本体４を自立可能とするように周囲壁４５よりも外方へ拡張された拡張部４６を備えている。この拡張部４６は、周囲壁４５の下端より斜め下方向きに外方へ向かって拡張され、横方向の長さが約４２．５ｍｍに、縦方向の長さが約３８．５ｍｍにそれぞれ設定されている。この場合、拡張部２６の肉厚が約２．８ｍｍに設定されている。
【００３７】
図２１は図１４の石鹸ケース３に固形石鹸Ｋを収容した状態を示す斜視図、図２２は図２１の石鹸ケース３及び固形石鹸Ｋの縦断側面図、図２３は図２１の石鹸ケース３及び固形石鹸Ｋの縦断正面図をそれぞれ示している。
【００３８】
図２１〜図２３に示すように、固形石鹸Ｋは、ケース本体４の開口部４１より押し出し可能な断面略矩形状に形成されている。また、固形石鹸Ｋは、ケース本体４の周囲壁４５の互いに対向する対向面としての正面４５１及び背面４５２にそれぞれ対応する正面及び背面の周囲に厚肉な枠状部Ｋ１を備えている。固形石鹸Ｋの枠状部Ｋ１を除く正面及び背面は、枠状部Ｋ１，Ｋ１よりもそれぞれ３ｍｍ程度薄肉な平坦部Ｋ２とされている。この場合、固形石鹸Ｋは、ケース本体４の開口部４１よりも若干小さい（開口部４１の縦方向及び横方向へそれぞれ１ｍｍずつ程度小さい）断面略矩形状に形成され、平坦部Ｋ２が各保持片４７（後述する）の先端に接触し難くなっている。つまり、固形石鹸Ｋは、横方向（図２３では左右方向）の長さが２９．７ｍｍに、縦方向（図２２では左右方向）の長さが約２５．６ｍｍに、長手方向（図２２及び図２３では上下方向）の長さが約５７ｍｍにそれぞれ設定されている。
【００３９】
ケース本体４は、当該ケース本体４の外方から固形石鹸Ｋを周囲壁４５の外方から把持可能とするように可撓性のある樹脂材料、具体的にはシリコン樹脂により成形されている。この場合、ケース本体４の周囲壁４５の正面４５１及び背面４５２は、これに隣接する左右両側面４５３，４５４よりも表面積が若干大きいために変形し易くなっている。
【００４０】
ケース本体４の周囲壁４５の互いに対向する正面４５１及び背面４５２の内側には、孔部４３から差し入れた指により開口部４１側へ押し出された固形石鹸Ｋを保持する一対の保持片４７，４７が長手方向等間隔置きに９組突設されている。各保持片４７は、互いに向き合う方向へ断面略Ｖ字状に略３ｍｍ突出している。また、各保持片４７は、それぞれ上面側（一端側の面）が正面４５１及び背面４５２の内周面に対し略直交してほぼ水平となり、下面側（他端側の面）が正面４５１及び背面４５２の内周面に対し略４５°に傾斜している。
【００４１】
各保持片４７は、その左右両端部を左右両側面４５３，４５４からそれぞれ約５ｍｍずつ残して横方向へ２０ｍｍ延びている。また、各保持片４７は、ケース本体４の長手方向の長さが２．６５ｍｍに設定されているとともに、ケース本体４の長手方向で互いに合隣なる長手方向の間隔が４．９ｍｍに設定されている。この各保持片４７のうちの最も底部４２に近い保持片４７は、底部４２に対し４．９ｍｍの間隔を隔てて設けられている。
【００４２】
図２４は図８の固形石鹸Ｋを石鹸ケース３より若干露出させた状態での縦断側面図、図２５は図８の固形石鹸Ｋを石鹸ケース３の中途部付近まで押し出した状態での縦断側面図をそれぞれ示している。
【００４３】
この場合、図２４に示すように、各保持片４７は、開口部４１側へ押し出された固形石鹸Ｋの基端側端（図２４では下端）を上面側に載せて保持すること以外に、その上面側に載せた各保持片４７よりも開口部４１側の各保持片４７の先端が正面４５１及び背面４５２の変形に伴って固形石鹸Ｋに対し強く押圧され、石鹸ケース３より若干露出させた状態の固形石鹸Ｋをケース本体４内でより強固に把持できるようにしている。このとき、各保持片４７は、固形石鹸Ｋの枠状部Ｋ１に対し非接触となるため、正面２５１及び背面４５２の変形が枠状部Ｋ１により規制されることがなく、各保持片４７の先端が固形石鹸Ｋの平坦部Ｋ２に対し効率よく押圧される。
【００４４】
また、図２５に示すように、石鹸ケース３の中途部付近まで押し出した状態の固形石鹸Ｋにあっては、その固形石鹸Ｋ自体の長手方向の長さが消費に伴い短くなっているため、その上面側に載せた各保持片４７よりも開口部４１側の各保持片４７の先端が正面４５１及び背面４５２の変形に伴って固形石鹸Ｋに対し強く押圧され、石鹸ケース３の中途部付近まで押し出した状態の固形石鹸Ｋをケース本体４内でより強固に把持できるようにしている。
【００４５】
したがって、本実施の形態では、有底筒状のケース本体４が可撓性のあるシリコン樹脂によって成形されているので、ケース本体４の底部４２の孔部４３から差し入れられた指により一端側（開口部４１側）へ押し出されて開口部４１から露出する固形石鹸Ｋの露出部分を、被洗浄物の局部的な汚れに対し力を加えて擦り付けようとした際に、固形石鹸Ｋを周囲壁４５が包み込んで滑り難く把持でき、固形石鹸Ｋの使い勝手を非常に良好なものにすることができる。
【００４６】
また、孔部４３から押し出した固形石鹸Ｋが、ケース本体４の周囲壁４５の互いに対向する正面４５１及び背面４５２の内側にそれぞれ突設された長手方向等間隔置きの一対の保持片４７，４７によって保持されているので、固形石鹸Ｋが擦り付けによる消費に伴い短くなって露出部分が遷移しても、その都度ケース本体４内の固形石鹸Ｋを滑り難く把持でき、消費に伴い短くなった固形石鹸Ｋの使い勝手を非常に良好なものにすることができる。
【００４７】
更に、周囲壁４５の下端より斜め下方向きに外方へ向かって拡張した底部４２の拡張部４６によってケース本体４が自立可能となるので、不使用時にスペースを取ることなく固形石鹸Ｋを省スペースで格納することができる。
【００４８】
なお、本発明は、前記各実施の形態に限定されるものではなく、その他種々の変形例を包含している。例えば、前記各実施の形態では、ケース本体２，４の周囲壁２５，４５の正面２５１，４５１及び背面２５２，４５２の内周面側にそれぞれ一対の保持片２７，４７を９組突設させたが、各保持片の組数はこれに限定されるものではなく、また、ケース本体の周囲壁の互いに対向する左右両側面の内周面側にそれぞれ一対の保持片が複数組突設されていてもよい。また、ケース本体の周囲壁の互いに対向する面の内周面側に複数の凹部又は複数の凸部がそれぞれ設けられていてもよい。更に、保持片自体がケース本体の周囲壁の互いに対向する面の内周面側に突設されていなくてもよい。
【００４９】
また、前記各実施の形態では、底部２２，４２の周囲を斜め下方向きに外方へ向かって拡張した拡張部２６，４６を設けたが、底部に拡張部が設けられていなくてもよく、また、底部の下面を水平面とすることでケース本体が自立可能となるようにしてもよい。
【００５０】
また、前記各実施の形態では、ケース本体２，４をシリコン樹脂により成形したが、ケース本体がシリコンゴムにより成形されていてもよく、ケース本体を把持した際に変形して固形石鹸に圧接して把持可能となるような可撓性のある樹脂材料であればなんでもよい。
【００５１】
更に、前記各実施の形態では、ケース本体２，４の開口部２１，４１より固形石鹸Ｓ，Ｋを露出させた状態としたが、ケース本体に蓋を設け、ケース本体の開口部より露出させた固形石鹸を不使用時に蓋によって外方から覆うようにしてもよく、固形石鹸の使用間隔が開く場合には固形石鹸の乾燥を配慮して蓋をしておけばよい。
【符号の説明】
【００５２】
１          石鹸ケース
２          ケース本体
２１        開口部
２２        底部
２３        孔部
２５        周囲壁
２５１      正面（対向面）
２５２      背面（対向面）
２６        拡張部
２７        保持片
３          石鹸ケース
４          ケース本体
４１        開口部
４２        底部
４３        孔部
４５        周囲壁
４５１      正面（対向面）
４５２      背面（対向面）
４６        拡張部
４７        保持片
Ｓ          固形石鹸
Ｋ          固形石鹸
【図１】
2020029291.tif 000003
【図２】
2020029291.tif 000004
【図３】
2020029291.tif 000005
【図４】
2020029291.tif 000006
【図５】
2020029291.tif 000007
【図６】
2020029291.tif 000008
【図７】
2020029291.tif 000009
【図８】
2020029291.tif 000010
【図９】
2020029291.tif 000011
【図１０】
2020029291.tif 000012
【図１１】
2020029291.tif 000013
【図１２】
2020029291.tif 000014
【図１３】
2020029291.tif 000015
【図１４】
2020029291.tif 000016
【図１５】
2020029291.tif 000017
【図１６】
2020029291.tif 000018
【図１７】
2020029291.tif 000019
【図１８】
2020029291.tif 000020
【図１９】
2020029291.tif 000021
【図２０】
2020029291.tif 000022
【図２１】
2020029291.tif 000023
【図２２】
2020029291.tif 000024
【図２３】
2020029291.tif 000025
【図２４】
2020029291.tif 000026
【図２５】
2020029291.tif 000027